(57)【要約】【課題】新たに暖房パネルを設置する場合でも、別途、暖房リモコンを設置しなくてもよい温水暖房の制御装置を提供することを目的とするものである。【解決手段】短絡素子８を暖房用リモコン用接続端子１ｃに接続することで、主リモコン７の暖房運転スイッチ７ｂに対応する系統の温水弁３ｃを特定し、主リモコン７に暖房リモコン機能を持たせることができる。これにより、新たに暖房パネルを設置する場合でも、別途、暖房リモコンを設置しなくてもよいものとなる。【選択図】  図１
2004324958.tif 000002
【特許請求の範囲】
【請求項１】
温水弁を有する複数の温水暖房系統を備えた熱源機と、温水暖房の運転制御を行う複数の暖房リモコンと、熱源機の一般運転制御を行う主リモコンとを備え、前記熱源機は、温水暖房系統数と同数の暖房リモコン用接続端子と温水弁用接続端子を有するとともに、前記暖房リモコン用接続端子のうち特定系統の暖房リモコン用接続端子を短絡させ、前記主リモコンは、短絡された暖房用リモコン接続端子の系統に該当する温水弁を開閉制御する暖房リモコン機能を備えた温水暖房の制御装置。
【請求項２】
短絡された複数の暖房用リモコン接続端子に抵抗分割比率の個別に異なる短絡端子を接続し、主リモコンに複数の暖房リモコン機能を持たせた請求項１に記載の温水暖房の制御装置。
【請求項３】
抵抗分割比率の個別に異なる短絡端子に通信信号ラインを開閉できるスイッチを設けた請求項２に記載の温水暖房の制御装置。
【請求項４】
抵抗分割比率の個別に異なる短絡端子にボリュームを用いた請求項２に記載の温水暖房の制御装置。
【請求項５】
暖房リモコンを接続する場合と、暖房リモコン機能を持った主リモコンを接続する場合とを切換えるスイッチを有した請求項１または２に記載の温水暖房の制御装置。
【請求項６】
暖房リモコン機能を備えた主リモコンから固有の通信電文を受信することで、暖房リモコンの制御機能を主リモコンに内蔵する暖房リモコン機能の制御に切換える請求項１または２に記載の温水暖房の制御装置。
【発明の詳細な説明】
【０００１】
【発明の属する技術分野】
本発明は、温水暖房、特に床暖房などにおける温水暖房の制御装置に関するものである。
【０００２】
【従来の技術】
従来、この種の温水暖房の制御装置は、暖房用リモコン接続端子と温水用接続端子が一対一で対応しているものが普通であり、熱源機の運転状態を表示する主リモコンには暖房リモコン機能は持っていなかった（例えば、特許文献１参照）。
【０００３】
これは、図１４に示す様に、熱源機１から４つの床などの暖房パネル２ａ〜２ｄに温水弁３ａ〜３ｄを介して温水往パイプ４ａ〜４ｄが接続されており、温水戻パイプ５は統合されて熱源機１へ接続されている。これにより、熱源機１は温水弁３ａ〜３ｄを有する複数の温水暖房系統を備えている。一方、温水暖房の運転制御を行う複数の暖房リモコン６ａ〜６ｄは、暖房パネル２ａのある部屋に暖房リモコン６ａが、暖房パネル２ｂのある部屋に暖房リモコン６ｂが、暖房パネル２ｃのある部屋に暖房リモコン６ｃが、暖房パネル２ｄのある部屋に暖房リモコン６ｄがそれぞれ取付けられ、熱源機１は、例えば、暖房リモコン６ａからの要求に応じて温水弁３ａを開き、暖房パネル２ａを加熱する。すなわち、熱源機１内には、４系統の暖房パネルを接続できる熱源機である場合、一つの暖房用リモコン接続端子に対し、それに連動して動作する温水用接続端子が必ず一つあり、これらの組み合わせが４組（ａ）〜（ｄ）あるということである。この４組という組数は、熱源機１の能力に応じて何組であっても構わない。
【０００４】
【特許文献１】
特開２０００−１１１０６４号公報（第８頁、図４）
【０００５】
【発明が解決しようとする課題】
ところで、実使用においては、熱源機の運転状態の確認や床などの暖房以外の機能操作用として、別途、主リモコンが接続されるケースがよくある。この場合、前記した従来の温水暖房の制御装置では、主に台所やリビングルームに設置される主リモコンと、暖房リモコンの接続端子が異なるので、同じ台所やリビングルームに新たに暖房パネルを設置する場合、別途、暖房リモコンを設置しなければならないという課題を有していた。
【０００６】
本発明は、前記従来の課題を解決するもので、新たに暖房パネルを設置する場合でも、別途、暖房リモコンを設置しなくてもよい温水暖房の制御装置を提供することを目的とするものである。
【０００７】
【課題を解決するための手段】
前記目的を達成するために、本発明の温水暖房の制御装置は、温水弁を有する複数の温水暖房系統を備えた熱源機と、温水暖房の運転制御を行う複数の暖房リモコンと、熱源機の一般運転制御を行う主リモコンとを備え、前記熱源機は、温水暖房系統数と同数の暖房リモコン用接続端子と温水弁用接続端子を有するとともに、前記暖房リモコン用接続端子のうち特定系統の暖房リモコン用接続端子を短絡させ、前記主リモコンは、短絡された暖房用リモコン接続端子の系統に該当する温水弁を開閉制御する暖房リモコン機能を備えたものである。
【０００８】
これにより、主リモコンの暖房リモコン機能からの運転指示により、短絡された暖房用リモコン接続端子の系統に該当する温水弁を開閉制御するため、新たに暖房パネルを設置する場合でも、別途、暖房リモコンを設置しなくてもよい温水暖房の制御装置とすることができる。
【０００９】
【発明の実施の形態】
請求項１に記載の発明は、温水弁を有する複数の温水暖房系統を備えた熱源機と、温水暖房の運転制御を行う複数の暖房リモコンと、熱源機の一般運転制御を行う主リモコンとを備え、前記熱源機は、温水暖房系統数と同数の暖房リモコン用接続端子と温水弁用接続端子を有するとともに、前記暖房リモコン用接続端子のうち特定系統の暖房リモコン用接続端子を短絡させ、前記主リモコンは、短絡された暖房用リモコン接続端子の系統に該当する温水弁を開閉制御する暖房リモコン機能を備えた温水暖房の制御装置とすることにより、主リモコンの暖房リモコン機能からの運転指示で、短絡された暖房用リモコン接続端子の系統に該当する温水弁を開閉制御するため、新たに暖房パネルを設置する場合でも、別途、暖房リモコンを設置しなくてもよい温水暖房の制御装置とすることができる。
【００１０】
請求項２に記載の発明は、短絡された複数の暖房用リモコン接続端子に抵抗分割比率の個別に異なる短絡端子を接続し、主リモコンに複数の暖房リモコン機能を持たせた請求項１に記載の温水暖房の制御装置とすることにより、主リモコンの複数の暖房リモコン機能に対応する系統の温水弁を特定することができ、新たに暖房パネルを設置する場合でも容易に対応できるものである。
【００１１】
請求項３に記載の発明は、抵抗分割比率の個別に異なる短絡端子に通信信号ラインを開閉できるスイッチを設けた請求項２に記載の温水暖房の制御装置とすることにより、新たに暖房パネルを設置する場合でもさらに容易に対応できるものである。
【００１２】
請求項４に記載の発明は、抵抗分割比率の個別に異なる短絡端子にボリュームを用いた請求項２に記載の温水暖房の制御装置とすることにより、複数の短絡端子として全く同じものを用いることができるので、接続間違いがなく、施工性が向上するという有利な効果を有する。
【００１３】
請求項５に記載の発明は、複数の暖房リモコンを接続する場合と、複数の暖房リモコン機能を持った主リモコンを接続する場合とを切換えるスイッチを有した請求項１または２に記載の温水暖房の制御装置とすることにより、スイッチ切換えで主リモコンに暖房リモコン機能を持たせる場合と、暖房リモコンを接続する場合とを同じ熱源機で対応できるという有利な効果を有する。
【００１４】
請求項６に記載の発明は、暖房リモコン機能を備えた主リモコンから固有の通信電文を受信することで、暖房リモコンの制御機能を主リモコンに内蔵する暖房リモコン機能の制御に切換える請求項１または２に記載の温水暖房の制御装置とすることにより、切換えのスイッチが不要となるばかりでなく、スイッチの切換え忘れや切換えミスを防止することができるというさらに有利な効果を有する。
【００１５】
【実施例】
以下、本発明の実施例について、図面を参照しながら説明する。
【００１６】
（実施例１）
図１〜図３は、本発明の実施例１における温水暖房の制御装置を示すものである。本実施例において、図１４に示した従来例と同じ構成要素については同じ符号を用いて説明を省略し、以下、相違点を中心に説明する。
【００１７】
図１において、７は熱源機１の一般運転制御を行う主リモコンであり、風呂運転スイッチ７ａと暖房運転スイッチ７ｂとを有し、熱源機１へは暖房リモコン用接続端子１ａ〜１ｄとは異なる接続端子１ｘに接続されている。８は暖房リモコン用接続端子１ａ〜１ｄのうち特定系統の暖房リモコン用接続端子１ｃを短絡させた短絡素子であり、接続端子１ｃには図１４に示す従来例のように、暖房リモコンが接続されておらず、この短絡素子８で短絡されている。また、接続端子１ｄは何も接続されていない空き端子となっている。なお、熱源機１は、温水暖房系統数と同数の暖房リモコン用接続端子１ａ〜１ｄとは別に、同数の温水弁用接続端子１ｅ〜１ｈを有しているものである。
【００１８】
図２に本実施例における温水暖房の制御装置の電気回路を示しているように、暖房リモコン用接続端子１ａ、１ｂには暖房リモコン６ａ、６ｂが接続され、暖房リモコン用接続端子１ｃには短絡素子８が接続されおり、接続端子１ｄは空き端子となっている。接続端子１ａ〜１ｄはプラス電源端子とマイナス電源端子、および信号端子で１セットとなっており、この内、各信号端子はそれぞれ回線接続トランジスタ１０ａ〜１０ｄのコレクタ側につながっている。回線接続トランジスタ１０ａ〜１０ｄの出力信号９ａ〜９ｄはマイクロコンピュータにつながり、各系統の回線接続トランジスタ１０ａ〜１０ｄを順次ＯＮさせる信号が与えられる。回線接続トランジスタ１０ａ〜１０ｄのエミッタ側はすべてまとめてトランジスタ１１で受け、入力信号１２となってマイクロコンピュータにて読み取られるものである。
【００１９】
図３に出力信号９ａ〜９ｄと入力信号１２の波形を示したように、出力信号９ａがＨｉになっている間、回線接続トランジスタ１０ａがＯＮとなり、暖房リモコン６ａからのシリアル信号が入力信号１２で読み取ることができる。同様に、出力信号９ｂがＨｉになるタイミングで回線接続トランジスタ１０ｂがＯＮとなり、暖房リモコン６ｂからのシリアル信号が入力信号１２で読み取ることができる。
【００２０】
ところが、短絡素子８が暖房リモコン用接続端子１ｃに接続されているため、出力信号９ｃがＯＮになると、この間、トランジスタ１１は常時ＯＮとなり、入力信号１２ではＨｉとなって読み取られる。その一方、接続端子１ｄは何も接続されていないので、出力信号９ｄがＯＮになってもトランジスタ１１はＯＮせずに、この間、入力信号１２ではＬｏとなる。
【００２１】
このような構成によれば、回線接続トランジスタ１０ｃをＯＮとした時に入力信号１２でＨｉとなるので、暖房リモコン用接続端子１ｃには短絡素子８が接続されていることが認識できる。つまり、短絡素子８が接続されている系統を識別することができ、主リモコン７にある暖房運転スイッチ７ｂがＯＮされると、短絡素子８が接続されている系統の温水弁、すなわち、温水弁３ｃを開き暖房パネル２ｃを加熱するようマイクロコンピュータにプログラムしておけば、主リモコン７からの暖房運転要求に応じて温水弁３ｃを開き暖房パネル２ｃを加熱することができるので、主リモコン７を一つの暖房リモコンとして使用することができる。これは、暖房リモコン６ａからのシリアル信号の要求に応じて温水弁３ａを開き暖房パネル２ａを加熱する、暖房リモコン６ｂからのシリアル信号の要求に応じて温水弁３ｂを開き暖房パネル２ｂを加熱するのと同様である。すなわち、短絡素子８を暖房リモコン用接続端子１ｃに接続しておくことにより、主リモコン７の暖房運転スイッチ７ｂに該当するのは温水弁３ｃであることが認識でき、主リモコン７に暖房リモコン機能を持たせたものとなっている。
【００２２】
なお、本実施例において、短絡素子８は暖房リモコン用接続端子１ｃに接続したが、これは暖房リモコン用接続端子１ａ、１ｂ、１ｄのいずれであっても良い。
【００２３】
（実施例２）
図４〜図６は、本発明の実施例２における温水暖房の制御装置を示すものである。実施例１と同じ構成要素については同じ符号を用いて説明を省略し、以下、相違点を中心に説明する。
【００２４】
図４において、主リモコン７は、風呂運転スイッチ７ａ、暖房運転スイッチ７ｂとは別に、もう一つ床暖房運転スイッチ７ｃを有する。暖房リモコン用接続端子１ｃに接続されている短絡素子８ａと、暖房リモコン用接続端子１ｄに接続されている短絡素子８ｂとは形状、構造は同じであるが、電気回路的には異なるものとなっている。
【００２５】
図５に示すように、短絡素子８ａと短絡素子８ｂとは、暖房リモコン用接続端子のプラス端子とマイナス端子との間を抵抗Ａ、ＢとＣ、Ｄに分割して、信号端子に接続される回路構成となっているが、互いにこの抵抗分割比が異なる。この時、回線接続トランジスタ１０ｃと回線接続トランジスタ１０ｄがＯＮしたときのトランジスタ１１のベースにかかる電圧値が、電源電圧より低いレベルで異なり、トランジスタ１１が能動域で動作することになる。
【００２６】
図６に示すように、信号９ｃがＨｉの信号１２の電圧レベルと、信号９ｄがＨｉの信号１２の電圧レベルとが異なり、この電圧レベルの差と短絡素子８ｃと短絡素子８ｄの抵抗分割比の差との関連を知っておけば、暖房リモコン用接続端子１ｃ、１ｄのどちらに短絡素子８ａ、８ｂのどちらが接続されているかが、判断できる。
【００２７】
短絡素子８ａを暖房運転スイッチ７ｂに、短絡素子８ｂを暖房運転スイッチ７ｃに割りつけて、マイクロコンピュータにプログラムしておけば、暖房運転スイッチ７ｂがＯＮされたときは短絡素子８ａの接続されている系統、つまり、温水弁３ｃを開いて床暖房パネル２ｃを加熱し、暖房運転スイッチ７ｃがＯＮされたときは短絡素子８ｂの接続されている系統、つまり、温水弁３ｄを開いて暖房パネル２ｄを加熱することができる。
【００２８】
このような構成によれば、短絡素子８ａ、８ｂの抵抗分割比に差を持たせることにより、どちらの短絡素子がどの暖房リモコン用接続端子に接続されているか判読できることとなり、どの温水弁を開けばいいのか判るので、主リモコン７に２つの暖房運転スイッチ７ｂ、７ｃを設けることができる。
【００２９】
なお、本実施例において、短絡素子８ａ、８ｂの抵抗分割比を２種類として、主リモコン７に暖房運転スイッチを２つ設けたが、短絡素子の抵抗分割比の種類を増やし、その数だけ主リモコン７に暖房運転スイッチを設けても良い。
【００３０】
また、トランジスタ１１を複数設け、そのベース側に抵抗分割回路や低電圧ダイオードを入れたりすれば、ある電圧レベルでのみトランジスタ１１がＯＮとなるようにしても良い。
【００３１】
（実施例３）
図７、図８は、本発明の実施例３における温水暖房の制御装置を示すものである。実施例１、２と同じ構成要素については同じ符号を用いて説明を省略し、以下、相違点を中心に説明する。
【００３２】
図７に示すように、短絡素子８ａと短絡素子８ｂとは、暖房リモコン用接続端子のプラス端子とマイナス端子との間を抵抗Ａ、ＢとＣ、Ｄに分割して、信号端子に接続される間にスイッチＥ、Ｆが設けられた回路構成となっており、実施例２と同様に互いにこの抵抗分割比が異なる。この時、短絡素子８ａに設けたスイッチＥは常には閉じているが、短絡素子８ｂに設けたスイッチＦは常には開放されている。
【００３３】
図８に示すように、信号９ｃがＨｉの間の信号１２はある電圧レベルが検出され、短絡素子８ａが暖房リモコン用接続端子１ｃに接続されていることが検出できるが、信号９ｄがＨｉの間の信号１２は全く変化なく、つまり、暖房リモコン用接続端子１ｄには機械的には短絡素子８ｂが接続されていることになるが、電気信号回路的には何も接続されていないのと同じ状態となる。
【００３４】
このような構成によれば、図１のように暖房パネル２ｄを設置していない状態から、増改築等により図２のように温水弁３ｄや床暖房パネル２ｄを設置する場合、主リモコン７として暖房運転スイッチを２つ持つ主リモコン７に交換し、短絡素子８ｂに設けたスイッチＦを閉じるだけで済む。
【００３５】
熱源機１の設置時に、暖房を使用しない系統の暖房リモコン用接続端子１ｄにも、短絡素子８ｂを接続し、そのスイッチＦを開放しておくようにしておけば、接続端子８ｂを紛失することなく、数年後の暖房パネル２ｄの増設が容易となる。
【００３６】
なお、本実施例において、短絡素子８ａ、８ｂに設けたスイッチＥ、Ｆは、暖房リモコン用接続端子のプラス端子とマイナス端子との間を抵抗分割して、信号端子に接続される間に設けたが、プラス端子と分割抵抗との間等に設け、スイッチ開放時に信号端子に電圧がかからない回路構成としても良い。
【００３７】
（実施例４）
図９、図１０は、本発明の実施例４における温水暖房の制御装置を示すものである。実施例１、２と同じ構成要素については同じ符号を用いて説明を省略し、以下、相違点を中心に説明する。
【００３８】
図９に示すように、短絡素子８ａと短絡素子８ｂとは、暖房リモコン用接続端子のプラス端子とマイナス端子との間の抵抗Ｇを抵抗分割して、信号端子に接続されるようにボリュームが設けられた回路構成となっている。
【００３９】
図１０に示すように、プリント基板８ａ１上にコネクタ８ａ２とボリューム８ａ３とが半田付けされており、抵抗分割比が小さくなる位置、すなわち、回線接続トランジスタ１０ｃがＯＮとなった時にトランジスタ１１のベースにかかる電圧が大きくなる位置８ａ４に文字表示「ａ」を入れ、抵抗分割比が大きくなる位置、すなわち、回線接続トランジスタ１０ｃがＯＮとなった時にトランジスタ１１のベースにかかる電圧が小さくなる位置８ａ５に文字表示「ｂ」を入れ、抵抗分割比がとても大きくなる位置、すなわち、回線接続トランジスタ１０ｃがＯＮとなってもトランジスタ１１のベースにかかる電圧が小さすぎてトランジスタ１１がＯＮできない位置８ａ６に文字表示「ＯＦＦ」を入れてある。
【００４０】
文字表示「ａ」８ａ４は暖房運転スイッチ７ａと連動させるという意味で、文字表示「ｂ」８ａ５は暖房運転スイッチ７ｂと連動させるという意味で、文字表示「ＯＦＦ」８ａ６は該当系統には暖房パネルを設置しないという意味である。
【００４１】
例えば、短絡素子８ａについては、ボリューム８ａ３の矢印目盛を文字表示「ａ」８ａ４に合わせて暖房リモコン用接続端子１ｃに接続する。短絡素子８ｂについても、短絡素子８ａと全く同じものを使用し、ボリューム８ａ３の矢印目盛を文字表示「ｂ」８ａ５に合わせて暖房リモコン用接続端子１ｄに接続すれば、電気信号回路的には図５、図６と同じ状態とすることができ、ボリューム８ａ３の矢印目盛を文字表示「ＯＦＦ」８ａ６に合わせて暖房リモコン用接続端子１ｄに接続すれば、電気信号回路的には図７、図８と同じ状態とすることができる。
【００４２】
このような構成によれば、短絡素子８ａ、８ｂに区別がないため、施工時に接続するべき暖房リモコン用接続端子を間違う心配はなく、ボリューム８ａ３を回すだけで、暖房運転スイッチ７ａと連動させるか、暖房運転スイッチ７ｂと連動させるか、または、該当系統には暖房パネルを設置しないかの設定が容易となり、施工性の向上が図れる。
【００４３】
なお、本実施例において、短絡素子８ａの抵抗分割比に応じる文字表示を「ａ」、「ｂ」の２種類として、主リモコン７に暖房運転スイッチを２つ設けたが、短絡素子の抵抗分割比の種類数に応じて、短絡素子８ａに入れる文字表示の数を増やし、その数だけ主リモコン７に暖房運転スイッチを設けることができる。また、たった１種類の短絡素子８ａの数を増やすだけで、主リモコン７に暖房運転スイッチを多く設けることができるという効果も有する。
【００４４】
（実施例５）
図１１、図１２は、本発明の実施例５における温水暖房の制御装置を示すものである。実施例１と同じ構成要素については同じ符号を用いて説明を省略し、以下、相違点を中心に説明する。
【００４５】
図１１において、熱源機１にはスイッチ１ｓが設けられており、接続端子１ｘには暖房運転スイッチを有しない主リモコン７が接続され、暖房リモコン用接続端子１ｃには、強運転、弱運転、運転ＯＦＦの３段段の電圧信号にて制御するアナログ信号型の暖房リモコン６ｓが接続されている。
【００４６】
図１２の信号１２ａは暖房リモコン６ｓが強運転状態、信号１２ｂは暖房リモコン６ｓが弱運転状態、信号１２ｃは暖房リモコン６ｓが運転ＯＦＦ状態を示している。
【００４７】
ここで、スイッチ１ｓがＯＮ状態、回線接続トランジスタ１０ｃがＯＮとなったときに信号１２でシリアル信号が検出できない場合は、信号１２の電圧レベルに応じて開閉制御する温水弁を特定するのではなく、信号１２ａのように電圧レベルが高い場合は、温水弁３ｃの開弁率を高くして暖房パネル２ｃを強加熱し、信号１２ｂのように電圧レベルが低い場合は温水弁３ｃの開弁率を低くして暖房パネル２ｃを弱加熱し、信号１２ｃのように電圧変化が検出できない場合は温水弁３ｃを閉弁して暖房パネル２ｃをＯＦＦとする。
【００４８】
つまり、スイッチ１ｓがＯＦＦ状態であるときは、本実施例１〜４までのように、信号１２で検出されるレベルにより主リモコン７の暖房運転スイッチがＯＮされたときの開閉制御すべき温水弁を判別するが、スイッチ１ｓがＯＮ状態であるときは、信号１２で検出されるレベルにより接続されたアナログ信号型の暖房リモコン６ｓからの強運転、弱運転、運転ＯＦＦの３段段の電圧信号に応じて、該当回線の温水弁３ｃを制御するようマイクロコンピータにプログラムしておけば、暖房運転スイッチを持つ主リモコン７を接続する場合も、アナログ信号型の暖房リモコン６ｓを接続する場合も同じ熱源機１で対応することができる。
【００４９】
このような構成によれば、暖房運転スイッチを持つ主リモコン７を接続する場合とアナログ信号型の暖房リモコン６ｓを接続する場合で、熱源機１に設けたスイッチ１ｓを切換えるだけで、どちらの場合も対応することができる。
【００５０】
なお、本実施例において、アナログ信号型の暖房リモコン６ｓは暖房リモコン用接続端子１ｃに接続したが、暖房リモコン用接続端子１ａ、１ｂ、１ｄのいずれかであっても構わない。
【００５１】
また、アナログ信号型の暖房リモコン６ｓは強運転、弱運転、運転ＯＦＦの３段段としたが、運転ＯＮ、運転ＯＦＦの２段階としても良い。
【００５２】
（実施例６）
図１３は本発明の実施例６における温水暖房の制御装置を示すものである。特に図示していないが、暖房リモコン機能を持った主リモコン７において実施例５におけるスイッチ１ｓを取り去った構成としている。
【００５３】
本実施例における温水暖房の制御装置は、図１３のマイクロコンピュータ内部のフローチャートに示すように、電源が投入されると、まず、マイクロコンピュータは主リモコン７から電文を受信する。その受信電文には主リモコン７に暖房運転スイッチが存在するか否かの情報が含まれており、その情報により条件判断して、主リモコン７に暖房運転スイッチが含まれる場合は短絡素子による系統判断を行い、主リモコン７に暖房運転スイッチが含まれない場合はアナログの暖房リモコン対応を行う。
【００５４】
実施例５のようなスイッチ１ｓに該当する機能を、主リモコン７からの電文情報による条件判断で行い、暖房運転スイッチを持つ主リモコンを接続する場合と、アナログ信号型の暖房リモコンを接続する場合を自動的に判断するというものである。つまり、暖房リモコン機能を備えた主リモコン７から固有の通信電文を受信することで、暖房リモコンの制御機能を主リモコンに内蔵する暖房リモコン機能の制御に切換えるものである。
【００５５】
このような構成によれば、スイッチ１ｓが不要となるばかりでなく、スイッチ１ｓの切換え忘れや切換えミスを防止することができる。
【００５６】
なお、主リモコン７からの暖房運転スイッチが存在するか否かの情報が含まれる通信電文は電源投入初期としたが、主リモコン７の暖房運転スイッチがＯＮとされて、その旨の電文が送られてくる都度、暖房運転スイッチが存在と条件判断しても良い。
【００５７】
【発明の効果】
以上のように、本発明の温水暖房の制御装置によれば、主リモコンの暖房リモコン機能からの運転指示により、短絡された暖房用リモコン接続端子の系統に該当する温水弁を開閉制御するため、新たに暖房パネルを設置する場合でも、別途、暖房リモコンを設置しなくてもよい温水暖房の制御装置とすることができる。
【図面の簡単な説明】
【図１】本発明の実施例１における温水暖房の制御装置の構成図
【図２】同制御装置の電気回路図
【図３】同制御装置の出力信号と入力信号のタイムチャート
【図４】本発明の実施例２における温水暖房の制御装置の構成図
【図５】同制御装置の電気回路図
【図６】同制御装置の出力信号と入力信号のタイムチャート
【図７】本発明の実施例３における温水暖房の制御装置の電気回路図
【図８】同制御装置の出力信号と入力信号のタイムチャート
【図９】本発明の実施例４における温水暖房の制御装置の電気回路図
【図１０】同制御装置の短絡素子の外観図
【図１１】本発明の実施例５における温水暖房の制御装置の電気回路図
【図１２】同制御装置の出力信号と入力信号のタイムチャート
【図１３】本発明の実施例６における温水暖房の制御装置のフローチャート
【図１４】従来の温水暖房の制御装置の構成図
【符号の説明】
１  熱源機
１ａ〜１ｄ  暖房リモコン用接続端子
１ｅ〜１ｈ  温水弁用接続端子
１ｓ  スイッチ
２ａ〜２ｃ  暖房パネル
３ａ〜３ｄ  温水弁
６ａ〜６ｄ  暖房リモコン
７  主リモコン
７ｂ、７ｃ  暖房運転スイッチ
８、８ａ、８ｂ  短絡素子
８ａ３  ボリューム
Ａ〜Ｄ、Ｇ  抵抗
Ｅ、Ｆ  スイッチ
【図１】
2004324958.tif 000003
【図２】
2004324958.tif 000004
【図３】
2004324958.tif 000005
【図４】
2004324958.tif 000006
【図５】
2004324958.tif 000007
【図６】
2004324958.tif 000008
【図７】
2004324958.tif 000009
【図８】
2004324958.tif 000010
【図９】
2004324958.tif 000011
【図１０】
2004324958.tif 000012
【図１１】
2004324958.tif 000013
【図１２】
2004324958.tif 000014
【図１３】
2004324958.tif 000015
【図１４】
2004324958.tif 000016